(57)【要約】  バッテリおよびそのバッテリカバーアセンブリが提供される。バッテリカバーアセンブリが、貫通穴を有するカバー（１）と、引出電極端子（３）と、カバーと引出電極端子との間に配置される絶縁シール部材とを備える。引出電極端子（３）が、この引出電極端子の頂部から出発して、連続して一緒に接続される円柱状のシール部（３１）、位置決め部（３２）および溶接部（３３）を備え、円柱状のシール部（３１）は、カバーの貫通穴を通過し、円柱形のシール部の円周面に沿って形成されるシール溝を有し、位置決め部は、水平に配置されたプラットフォームを有し、溶接部は、シート状の形状を有し、位置決め部の水平に配置されるプラットフォームに対して垂直である。【選択図】  図２
2014523074.tif 000002
【特許請求の範囲】
【請求項１】
貫通穴を有するカバーと、
引出電極端子と、
前記カバーと前記引出電極端子との間に配置される絶縁シール部材と、を備え、
前記引出電極端子は、該引出電極端子の頂部から出発して、連続して一緒に接続される円柱状のシール部、位置決め部および溶接部を備え、
前記円柱状のシール部は、前記カバーの前記貫通穴を通過し、該円柱形のシール部の円周面に沿って形成されるシール溝を備え、
前記位置決め部は、水平に配置されるプラットフォームを備え、
前記溶接部は、シート状の形状を有して、前記位置決め部の前記水平に配置されるプラットフォームに対して垂直であるバッテリカバーアセンブリ。
【請求項２】
前記溶接部は、前記位置決め部の底面の中央に配置され、前記引出電極端子の断面視においてＴ字形状を有する請求項１に記載のバッテリカバーアセンブリ。
【請求項３】
前記溶接部は、前記位置決め部の底面の片側に配置され、前記引出電極端子の断面視においてＬ字形状を有する請求項１に記載のバッテリカバーアセンブリ。
【請求項４】
前記溶接部は、前記位置決め部の底面の両側に配置され、前記引出電極端子の断面視において逆Ｕ字形状を有する請求項１に記載のバッテリカバーアセンブリ。
【請求項５】
前記シール部の頂部に、位置決め段差が設けられる請求項１〜４のいずれか一項に記載のバッテリカバーアセンブリ。
【請求項６】
前記段差は、円環形状を有する請求項５に記載のバッテリカバーアセンブリ。
【請求項７】
前記シール溝は、前記シール部の軸を通過する断面視において、矩形状を有する請求項１〜４のいずれか一項に記載のバッテリカバーアセンブリ。
【請求項８】
前記溶接部と前記位置決め部との間に、弧状のつなぎ目が設けられる請求項１〜４のいずれか一項に記載のバッテリカバーアセンブリ。
【請求項９】
前記位置決め部の縁に形成された真っ直ぐな面取りおよび曲がっている面取りのうち、一方が設けられる請求項１〜４のいずれか一項に記載のバッテリカバーアセンブリ。
【請求項１０】
前記シール部は、前記位置決め部の上面の中央に配置される請求項１に記載のバッテリカバーアセンブリ。
【請求項１１】
前記カバーは、スリーブ部と、前記スリーブ部の下端に接続されるフランジ部と、を備え、
前記絶縁シール部材は、内側スリーブと、前記内側スリーブの下端に接続される下側フランジと、前記内側スリーブとの間に環状の空間を画定するように、前記内側スリーブに被せられる外側スリーブと、を備え、
前記外側スリーブの上端は、前記環状の空間の上端を閉じるように前記内側スリーブの上端に接続され、
前記カバーの前記スリーブ部は、前記環状の空間に挿入される請求項１に記載のバッテリカバーアセンブリ。
【請求項１２】
前記内側スリーブの内壁に形成されて前記シール溝に嵌め込まれる突起が設けられる請求項１１に記載のバッテリカバーアセンブリ。
【請求項１３】
ケースと、
前記ケースの端部に配置された請求項１〜１３のいずれか一項に記載のバッテリカバーアセンブリと、
前記ケースと前記バッテリカバーアセンブリとによって画定された室内に配置される電気コアと、を備えるバッテリ。 
【発明の詳細な説明】
【関連出願の相互参照】
【０００１】
本出願は、２０１１年６月２９日に中国国家知識産権局に出願された中国特許出願第２０１１２０２２３６４０．０号の優先権および利益を主張し、その全内容が、ここでの言及によって本明細書に援用される。
【技術分野】
【０００２】
本発明は、広くには、パワーバッテリの技術分野に関し、さらに詳しくは、バッテリカバーアセンブリおよびそれを有するバッテリに関する。
【背景技術】
【０００３】
石油などの再生不可能な資源が次第に使い尽くされ、環境汚染がますます深刻化しており、人々は、新たなエネルギの乗り物に大いに期待している。そのような新たなエネルギの乗り物の核心として、パワーバッテリが、乗り物の高移動性に起因して、使用時に振動および衝撃を被る。したがって、パワーバッテリの信頼性および安全性に関する要件が高い。他方で、可搬のエネルギ供給装置として、パワーバッテリの体積および重量に関する要件も、やはり高い。
【０００４】
伝統的なバッテリカバーアセンブリは、バッテリの封止に好都合な円柱状の構造を有する引出電極端子を備えている。しかしながら、溶接の面積が不充分であるため、引出電極端子とタブとの間の溶接に関して不利である。さらに、別の伝統的なバッテリカバーアセンブリは、引出電極端子の溶接の面積を増やすシート状の構造を有する引出電極端子を備えており、したがって引出電極端子とタブとの溶接に関して有利であるが、シート状の構造を有する電極端子の引き出しは、パワーバッテリの封止に関して不利である。
【発明の概要】
【発明が解決しようとする課題】
【０００５】
本発明の実施の形態は、先行技術に存在する課題のうちの少なくとも１つを、少なくとも或る程度解決しようと試みる。
【０００６】
本発明の第１の態様の実施の形態は、良好な封止作用を有し、溶接が容易であるバッテリカバーアセンブリを提供する。
【０００７】
本発明の第２の態様の実施の形態は、良好な封止作用を有し、溶接が容易であるバッテリを提供する。
【課題を解決するための手段】
【０００８】
本発明の実施の形態によるバッテリカバーアセンブリは、貫通穴を有するカバーと、引出電極端子と、カバーと引出電極端子との間に配置される絶縁シール部材とを備える。引出電極端子は、この引出電極端子の頂部から出発して、円柱状のシール部、位置決め部、および溶接部を連続して備える。円柱状のシール部は、絶縁シール部材がカバーと引出電極端子のシール部との間に封止されるように、カバーの貫通穴を通過している。シール部は、このシール部の円周面に沿って形成されるシール溝を備え、位置決め部は、水平に配置されるプラットフォームを備え、溶接部は、シート状の形状を有して、位置決め部に対して垂直である。
【０００９】
本発明の実施の形態によるバッテリカバーアセンブリによれば、引出電極端子が円柱状のシール部を有しており、シール溝がシール部の円周面に沿って形成されているため、バッテリカバーが絶縁シール部とシール部との間のより良好な封止をもたらし、このバッテリカバーを使用するバッテリもより良好に封止される。
【００１０】
さらに、溶接部が、シート状の構造を有し、位置決め部に対して垂直であるため、バッテリのタブと引出電極端子とを溶接するために充分な空間が存在し、結果としてバッテリのタブと引出電極端子との間の溶接プロセスがより簡単になる。したがって、バッテリの全体としての安全性が改善される。
【００１１】
ある実施の形態において、溶接部は、位置決め部の底面の中央に配置され、引出電極端子の断面視においてＴ字形状を有する。
【００１２】
ある実施の形態において、溶接部は、位置決め部の底面の片側に配置され、引出電極端子の断面視においてＬ字形状を有する。
【００１３】
ある実施の形態において、溶接部は、位置決め部の底面の両側に配置され、引出電極端子の断面視において逆Ｕ字形状を有する。
【００１４】
ある実施の形態において、シール部の頂部に、位置決め段差が設けられる。
【００１５】
ある実施の形態において、位置決め段差は、円環状を有する。
【００１６】
ある実施の形態において、シール溝は、断面視において、矩形状を有する。
【００１７】
ある実施の形態において、溶接部と位置決め部との間に弧状のつなぎ目が設けられる。
【００１８】
ある実施の形態において、位置決め部の縁に、真っ直ぐな面取りまたは曲がっている面取りが設けられる。
【００１９】
ある実施の形態において、シール部は、位置決め部の上面の中央に配置される。
【００２０】
ある実施の形態において、カバーは、スリーブ部と、スリーブ部の下端に接続されるフランジ部と、を備える。
【００２１】
ある実施の形態において、絶縁シール部材は、内側スリーブと、内側スリーブの下端に接続される下側フランジと、内側スリーブとの間に環状の空間を画定するように、内側スリーブに被せられる外側スリーブと、を備え、外側スリーブの上端は、環状の空間の上端を閉じるように内側スリーブの上端に接続され、カバーのスリーブ部は、環状の空間に挿入される。
【００２２】
ある実施の形態において、内側スリーブの内壁に形成されてシール溝に嵌め込まれる突起が設けられる。
【００２３】
本発明の実施の形態によるバッテリは、ケースと、ケースの端部に配置される上記された実施の形態のいずれかのバッテリカバーアセンブリと、ケースとバッテリカバーアセンブリとによって画定された室内に配置された電気コアと、を備える。
【００２４】
本発明の実施の形態によるバッテリは、良好な封止効果を有し、溶接が容易となりうる。
【００２５】
本発明の上記概要は、開示される各々の実施の形態または本発明のあらゆる実施例を説明しようとするものではない。図面および以下の詳細な説明が、説明のための実施の形態をさらに詳しく例示する。
【００２６】
本発明の実施の形態のさらなる態様および利点が、一部は以下の説明に提示され、一部は以下の説明から明らかになり、あるいは本発明の実施の形態を実施することによって習得される。
【図面の簡単な説明】
【００２７】
本発明の実施の形態のこれらの態様および利点ならびに他の態様および利点が、添付の図面を参照しつつ行なわれる以下の説明から明らかになり、より容易に理解されるであろう。
【００２８】
【図１】本発明の実施の形態によるＴ字形状の断面視を有するバッテリカバーアセンブリを示している。
【図２】本発明の実施の形態によるバッテリカバーアセンブリのＴ字形状の引出電極端子の斜視図を示している。
【図３】本発明の実施の形態によるＬ字形状の断面視を有するバッテリカバーアセンブリを示している。
【図４】本発明の実施の形態によるバッテリカバーアセンブリのＬ字形状の引出電極端子の斜視図を示している。
【図５】本発明の実施の形態によるＵ字形状の断面視を有するバッテリカバーアセンブリを示している。
【図６】本発明の実施の形態によるバッテリカバーアセンブリのＵ字形状の引出電極端子の斜視図を示している。
【発明を実施するための形態】
【００２９】
本発明の実施の形態を詳しく参照する。図面を参照して本明細書において説明される実施の形態は、説明用であり、例示にすぎず、本発明の大まかな理解のために用いられる。これらの実施の形態を、本発明を限定するものとして解釈してはならない。同じまたは類似の構成要素ならびに同じまたは類似の機能を有する構成要素は、説明の全体を通して、類似の参照番号によって指し示される。
【００３０】
とくに指定または限定されない限り、用語「取り付けられ」、「接続され」、「支持され」、および「連結され」、ならびにこれらの変種は、広範に使用され、直接的および間接的の両方の取り付け、接続、支持、および連結を包含する。さらに、「接続され」および「連結され」は、物理的または機械的な接続または連結に限られない。
【００３１】
また、装置または構成要素の向きに関して本明細書において使用される表現および用語（例えば、「中央」、「上」、「下」、「前」、「後」、などの用語など）が、本発明の説明を簡単にするために使用されているにすぎず、それだけでは当該装置または構成要素が特定の向きを有さなければならないことを指示または意味しているわけではないことを、理解すべきである。
【００３２】
さらに、「第１」および「第２」などの用語は、本明細書において説明の目的のために使用され、相対的な重要性または意義を指示または意味するものではない。
【００３３】
明細書および特許請求の範囲の全体を通して、用語「備える」、「含む」、「有する」、ならびに「備えている」、「含んでいる」、「有している」などといったその変形が、他の変種や、追加の構成要素、完全体、または工程を排除しようとするものではないことに、注意すべきである。
【００３４】
次に、本発明の実施の形態によるバッテリカバーアセンブリを、図１〜図６を参照して以下で説明する。
【００３５】
図１に示されるように、本発明の実施の形態によるバッテリカバーアセンブリは、貫通穴を有するカバー１と、引出電極端子３と、カバー１と引出電極端子３との間に配置された絶縁シール部材２とを備えている。引出電極端子３は、その頂部から出発して、図１に示されるように連続して一緒に接続されたシール部３１、位置決め部３２、および溶接部３３を備えている。シール部３１が、円柱状の形状を有し、カバー１の貫通穴を通過している。シール溝３１１が、シール部３１の円周面に沿って形成されている。位置決め部３２が、図２、図４、および図６に示されるように水平方向を向いたプラットフォームを備えており、溶接部３３が、シート状（または、プレート状）の形状を有し、位置決め部３２に対して垂直である。
【００３６】
本発明の実施の形態によるバッテリカバーアセンブリにおいては、引出電極端子３が円柱状のシール部３１を有することができ、シール溝３１１がシール部３１の円周面に沿って形成されるため、バッテリカバーアセンブリが、絶縁シール部２とシール部３１との間により良好な封止をもたらし、このバッテリカバーアセンブリを使用するバッテリも、より良好に封止される。
【００３７】
さらに、溶接部３３がシート状（または、プレート状）の構造を有し、位置決め部３２に対して垂直であるため、バッテリのタブと引出電極端子とを一体に溶接するために充分な空間が存在し、結果としてバッテリのタブと引出電極端子との間の溶接プロセスがより簡単になる。したがって、バッテリの全体としての安全性が改善される。
【００３８】
カバー１の材料について、特殊な要件は存在せず、カバー１をアルミニウムまたは鋼で製作することができ、好ましくはカバー１がアルミニウムで製作される。
【００３９】
絶縁シール部材２の材料について、特殊な要件は存在せず、絶縁シール部材２を、セラミック、ガラス、プラスチック、またはゴムで製作することができる。絶縁シール部材２が、セラミックまたはガラスで製作される場合には、絶縁シール部材２は、焼結プロセスを使用してカバー１と引出電極端子３との間に封止されることができる。絶縁シール部材２が、プラスチックまたはゴムで製作される場合には、絶縁シール部材２は、射出成形プロセスを使用してカバー１と引出電極端子３との間に封止されることができる。
【００４０】
いくつかの実施の形態においては、引出電極端子３のシール部３１が、円柱、多角柱、または円形のボスの形状であり、好ましくはシール部３１が、円柱として形成される。シール部３１は、位置決め部３２の上面の中央に配置されることができる。
【００４１】
本発明のいくつかの実施の形態においては、複数のシール溝３１１は、シール部３の円周面に沿って形成されてもよく、それらは、シール部３の軸方向に間隔を開けて配置される。複数のシール溝３１１は、環状溝を形成するようにシール部３の周囲に延ばされることができる。シール溝３１１の断面視は、矩形、台形、または半円形のうちの１つを有してもよく、好ましくはシール溝３１１は、矩形の軸方向の断面視を有する。シール部３１は、バッテリの封止効果を改善するために、円柱の形状であってもよい。シール部３の円周面に形成されたシール溝３１１は、絶縁シール部材２とシール部３１との間の係合の窮屈さを改善し、バッテリの封止効果をさらに改善することができる。
【００４２】
位置決め段差３１２は、シール部３１の頂部に形成されることができる。好ましくは、位置決め段差３１２は、シール部３１の頂部の縁に位置する環状の段差として形成される。位置決め段差３１２を有するシール部３１は、バッテリの組み立てをより正確にすることができる。 
【００４３】
溶接部３３を位置決め部３２へと結合させるやり方について、特殊な要件は存在せず、溶接部３３と位置決め部３２とが、１つの物体としての一体構造または互いに結合した複数の構成部品を含む構造にて形成されることができ、好ましくは溶接部３３と位置決め部３２とが、１つの物体としての一体構造にて形成されることができる。
【００４４】
さらに、導電構造の劇的な変化に起因する局所的に大きい電流密度の増大および局所的な過熱などの現象を回避すべく電流を滑らかに送り、バッテリの信頼性を高めることができるよう、溶接部３３と位置決め部３２とをつなぎ合わせるために、弧状のつなぎ目を使用することができる。
【００４５】
位置決め部３２は、シール部３１と溶接部３３との間に配置され、シール部３１および溶接部３３へと接続されることができる。位置決め部３２の形状について、特殊な要件は存在しない。位置決め部３２が、矩形の形状および縁を有するプラットフォームである場合、位置決め部３２の縁は、面取りされてもよく、あるいは丸められてもよい。好ましくは、位置決め部３２が、通電能力を維持しつつバッテリの重量およびコストを削減するような楕円形としての外形を有することができる。 
【００４６】
バッテリのタブの種々の形状および位置に応じて、溶接部３３と位置決め部３２との接続の位置は、さまざまであってもよい。
【００４７】
図１および図２に示されるように、溶接部３３と位置決め部３２とが、両者を併せて見たときに引出電極端子の断面視においてＴ字形状を有するように、溶接部３３が、位置決め部３２の底面の中央に配置される。
【００４８】
図３および図４に示されるように、溶接部３３と位置決め部３２とが断面視においてＬ字形状を有するように、溶接部３３が、位置決め部３２の底面の片側に配置される。
【００４９】
図５および図６に示されるように、溶接部３３と位置決め部３２とが断面視において逆Ｕ字形状を有するように、溶接部３３が、位置決め部３２の底面の両側に配置される。
【００５０】
溶接部３３と位置決め部３２とをつなぎ合わせる上述のやり方は、バッテリのタブと引出電極端子３とを溶接するための充分な空間を提供し、バッテリのタブと引出電極端子３とを溶接するプロセスを簡単にすることも可能にする。
【００５１】
さらに、バッテリのタブの構造および構成は、当業者にとって周知であると考えられ、したがってここでは詳しい説明は省略する。
【００５２】
図５に示されるように、カバー１は、スリーブ部１１と、スリーブ部１１の下端へと接続されたフランジ部１２とを有することができる。絶縁シール部材２が、内側スリーブ２１と、内側スリーブ２１の下端へと接続された下部フランジ２２と、内側スリーブ２１へと被せられて内側スリーブ２１との間に環状の空間２４を画定する外側スリーブ２３とを有することができる。外側スリーブ２３の上端は、環状の空間２４の上端を閉じるべく内側スリーブ２１の上端へと接続されることができる。絶縁シール部材２をカバー１にしっかりと係合させることができるよう、カバー１のスリーブ部１１は、環状の空間２４へと挿入されることができる。
【００５３】
好ましくは、突起は、内側スリーブ２１の内壁に形成され、シール溝３１１に嵌め込まれてもよく、したがってカバー１と引出電極端子３との間の封止効果をさらに高めることができる。
【００５４】
本発明のいくつかの実施の形態によるバッテリを、以下で説明する。
【００５５】
本発明のいくつかの実施の形態によるバッテリは、ケースと、ケースの一端に配置されたバッテリカバーアセンブリと、ケースとバッテリカバーアセンブリとによって画定される室内に配置された電気コアとを備える。バッテリカバーアセンブリは、上述の実施の形態に関連して説明したいずれかのバッテリカバーアセンブリとすることができる。
【００５６】
本発明の実施の形態によるバッテリは、その封止効果を改善できるだけでなく、その溶接プロセスも簡単にすることができる。
【００５７】
ケースおよび電気コアは、当業者にとって公知であるため、ここでは詳細な説明を省略する。 
【００５８】
本明細書の全体における「実施の形態」、「いくつかの実施の形態」、「一実施の形態」、「別の例」、「例」、「特定の例」、または「いくつかの例」への言及は、その実施の形態または例に関連して説明される個々の特徴、構造、材料、または特性が、本発明の少なくとも１つの実施の形態または例に含まれることを意味する。したがって、本明細書の全体の種々の箇所において見られる「いくつかの実施の形態において」、「一実施の形態において」、「或る実施の形態において」、「別の例において」、「或る例において」、「特定の例において」、または「いくつかの例において」、などの表現は、必ずしも本発明の同じ実施の形態または例を指してはいない。さらに、個々の特徴、構造、材料、または特性は、任意の適切なやり方で１つ以上の実施の形態または例に組み合わせられてもよい。
【００５９】
典型的な実施の形態を図示および説明したが、上述の実施の形態を本発明を限定するものとして解釈することはできず、本発明の技術的思想、原理、および技術的範囲から離れることなく、実施の形態において変更、代案、および修正が可能であることを、当業者であれば理解できるであろう。
【図１】
2014523074.tif 000003
【図２】
2014523074.tif 000004
【図３】
2014523074.tif 000005
【図４】
2014523074.tif 000006
【図５】
2014523074.tif 000007
【図６】
2014523074.tif 000008
【国際調査報告】
2014523074.tif 000009
2014523074.tif 000010
2014523074.tif 000011